(57)【要約】【課題】ガラスの室内側面、下枠の室内側上面、下枠の室内側面に発生した結露水を室外側に排水できるようにした嵌め殺し窓とする。【解決手段】嵌め殺し窓の窓枠４を形成する下枠２を、その室内側上面２０を、ガラス５の室内側面、その室内側上面２０に発生した結露水が室内側に流れない形態とし、その室内側上面２０の結露水を室外側に排水する第１排水経路を、下枠２に形成する。前記下枠２の室内側面２ａに結露水受け凹部２１を形成し、この結露水受け凹部２１の結露水を室外側に排水する第２排水経路を下枠２に形成する。【選択図】      図１
2004211308.tif 000002
【特許請求の範囲】
【請求項１】
少なくとも下横材を備えた枠体と、この枠体内に取付けたガラスを備え、
前記下横材は、室内側上面が、ガラスの室内側面から流れ落ちた結露水、その室内側上面に発生した結露水が室内側に流れ落ちない形態で、
この室内側上面の結露水を室外側に排水する第１排水経路を、前記下横材に形成し、
前記下横材の室内側面は結露水受け凹部を有し、
この結露水受け凹部に溜まった結露水を室外側に排水する第２排水経路を、前記下横材に形成したことを特徴とするガラス付き建具。
【請求項２】
下横材の室内側上面における室内側端部が、結露水受け凹部の室内側端部よりも室外側に位置している請求項１記載のガラス付き建具。
【発明の詳細な説明】
【０００１】
【発明の属する技術分野】
本発明は、窓枠にガラスを装着した嵌め殺し窓、框組体にガラスを装着した障子などのように、枠体にガラスを装着したガラス付き建具に関する。
【０００２】
【従来の技術】
特許文献１に開示されたガラス付き建具が知られている。
このガラス付き建具は、枠体を形成する下横材の室内側上面に集水溝を形成し、その下横材に、前記集水溝を室外側に連通する排水経路を形成し、ガラスの室内側面、下横材の室内側上面に生じた結露水を室外側に排水できるようにしたものである。
【０００３】
【特許文献１】
実開昭５２−７０７０９号公報
【０００４】
【発明が解決しようとする課題】
前述した従来のガラス付き建具においては下横材の室内側面に発生した結露水を室外側に排水できないから、その結露水が室内に流れることがある。またガラスの室内側面、下横材の室内側上面に多量の結露水が発生した場合に、その結露水が集水溝からオーバーフローして室内側面に沿って流れ落ちて室内に流れることがある。
【０００５】
本発明は、前述の課題に鑑みなされたものであって、その目的は、ガラスの室内側面、下横材の室内側上面に発生した結露水、その室内側上面からオーバーフローした結露水、下横材の室内側面に発生した結露水を室外側に排水できるようにしたガラス付き建具を提供することである。
【０００６】
【課題を解決するための手段】
第１の発明は、少なくとも下横材を備えた枠体と、この枠体内に取付けたガラスを備え、
前記下横材は、その室内側上面が、ガラスの室内側面から流れ落ちた結露水、その室内側上面に発生した結露水が室内側に流れ落ちない形態で、
この室内側上面の結露水を室外側に排水する第１排水経路を、前記下横材に形成し、
前記下横材の室内側面は結露水受け凹部を有し、
この結露水受け凹部に溜まった結露水を室外側に排水する第２排水経路を、前記下横材に形成したことを特徴とするガラス付き建具である。
【０００７】
第２の発明は、第１の発明において下横材の室内側上面における室内側端部が、結露水受け凹部の室内側端部よりも室外側に位置しているガラス付き建具である。
【０００８】
【作  用】
第１の発明によれば、ガラスの室内側面に発生した結露水は下横材の室内側上面に流れ込み、この結露水及び室内側上面に発生した結露水は下横材の第１排水経路で室外側に排水される。
よって、ガラスの室内側面に発生した結露水、下横材の室内側上面に発生した結露水が室内に流れることがない。
【０００９】
また、下横材の室内側面に発生した結露水、下横材の室内側上面からオーバーフローした結露水は結露水受け凹部に流れて溜まる。この結露水受け凹部に溜まった結露水は下横材の第２排水経路で室外側に排水される。
よって、下横材の室内側面に発生した結露水、下横材の室内側上面からオーバーフローした結露水が室内に流れることがない。
【００１０】
第２の発明によれば、下横材の室内側上面からオーバーフローした結露水が室内側面に沿って流れずに、その結露水が室内側上面における室内側端部から滴下した場合に、その滴下した結露水が結露水受け凹部に落下して溜まるので、その滴下した結露水が室内に流れることがない。
【００１１】
【発明の実施の形態】
本発明の第１の実施の形態を図１と図２に基づいて説明する。
ガラス付き建具は、上枠１と下枠２と左右の縦枠３で方形状の窓枠４と、この窓枠４内に取付けたガラス５で嵌め殺し窓としてある。
前記窓枠４は建物躯体６の開口部７に取付けられ、その開口部７は室内の床８よりも下まで連続し、その開口部７の下内面７ａが室内の床８の上面、つまり床面８ａよりも下方に位置している。
この実施の形態では上枠１、下枠２、縦枠３は面外方向の中間に外向きの躯体取付片９をそれぞれ備え、この躯体取付片９を建物躯体６の室外側面６ａに固着具１０で固着して取付けられる。そして、各枠の躯体取付片９よりも室内側部分が開口部７内に挿入し、かつ室外側部分が建物躯体６の室外側面６ａよりも室外側に突出する。
つまり、半外付けタイプの嵌め殺し窓であるが、これに限ることはない。
【００１２】
前記下枠２の室内側面２ａにおける上下中間に取付横片１１が室内側に突出して設けてある。この取付横片１１と、下枠２の室内側面２ａにおける最上部１２との間の部分が立上り部１３で、その立上り部１３の上下寸法（高さ）Ｈ１は５０ｍｍ程度が好ましい。
前記取付横片１１が床８に固着具１４で固着され、その取付横片１１と床面８ａがほぼ同一高さである。なお、取付横片１１は床８に固着せずに床面８ａに接するだけでも良い。つまり、取付横片１１は床面８ａを支持すれば良い。
【００１３】
このようであるから、床面８ａ上の物に人が触れたりして動いた時に、その物は下枠２の立上り部１３に当るので、ガラス５を破損することがない。
【００１４】
前記ガラス５の室内側面、下枠２の室内側部分に発生した結露水を室外側に排水する下枠２の結露水排水について説明する。
まず、前記下枠２におけるガラス５よりも室内側の上面、つまり室内側上面２０を、ガラス５の室内側面から流れ落ちた結露水、その室内側上面２０に発生した結露水が室内側面２ａに流れ落ちない形態とする。例えば、室内側上面２０を前述の室内側面２ａにおける最上部１２よりも低くする。又は室内側上面２０を凹んだ形状とする。
前記下枠２に、その室内側上面２０の結露水を排水する第１排水路を形成する。
【００１５】
これによって、ガラス５の室内側面から流れ落ちた結露水、室内側上面２０に発生した結露水が下枠２から室外側に排水される。
【００１６】
次に、下枠２の室内側面２ａに発生した結露水、前記室内側上面２０からオーバーフローした結露水の排水について説明する。
この実施の形態では、下枠２は取付横片１１が床面８ａを支持しているので、その取付横片１１よりも上方の室内側面２ａ（つまり、立上り部１３）の結露水を室外側に排水すれば良く、下枠２の室内側面２ａにおける取付横片１１よりも下方部分は床面８ａよりも下方であるから、その部分に発生した結露水は室外側に排水しなくとも室内に流れることがない。
【００１７】
前記下枠２の室内側面２ａは、立上り部１３と連続し、かつ取付横片１１よりも低い結露水受け凹部２１を有し、その立上り部１３に発生した結露水は結露水受け凹部２１に溜まり、取付横片１１には流れないようにしてある。
前記下枠２に、この結露水受け凹部２１に溜まった結露水を室外側に排水する第２排水経路を形成する。
【００１８】
これによって、下枠２の立上り部１３に発生した結露水及び前記室内側上面２０からオーバーフローした結露水は下枠２から室外側に排水される。
【００１９】
この実施の形態では、下枠２の室内側上面２０における室内側端部２０ａは、結露水受け凹部２１の室内側端部２１ａよりも室外側に位置しているので、その室内側上面２０からオーバーフローした結露水が立上り部１３に沿って流れずに、その結露水が室内側上面２０の室内側端部２０ａから滴下した場合に、その滴下した結露水が結露水受け凹部２１に落下して溜まり、その滴下した結露水が室内に流れることがない。
なお、オーバーフローした結露水が滴下することがなければ、その室内側端部２０ａは結露水受け凹部２１の室内側端部２１ａよりも室内側に位置していても良い。
【００２０】
次に、前記第１排水経路、第２排水経路の一例を説明する。
下枠２はガラス取付用の上凹部３０と、下中空部３１を有し、その上凹部３０の上方に前記室内側上面２０が位置すると共に、上凹部３０と下中空部３１は仕切り板３２で仕切りされている。
具体的には、下枠２は室内側縦板３３と室外側縦板３４が上連結板３５、下連結板３６で一体的に連結され、室内側縦板３３の上部に上横板３７が室外側縦板３４に向けて一体的に設けてある。
そして、室内側縦板３３と室外側縦板３４と上連結板３５で上凹部３０を形成し、室内側縦板３３と室外側縦板３４と上連結板３５と下連結板３６で下中空部３１を形成している。
前記室内側縦板３３の室内側面が前述の下枠２の室内側面２ａで、室外側縦板３４の室外側面が下枠２の室外側面２ｂで、前記上横板３７の上面が前述の室内側上面２０である。
前記上連結板３５が前述の仕切り板３２である。
【００２１】
前記室内側上面２０に上排水部３８を設けて上凹部３０に結露水が流れるようにする。この上排水部３８は室内側上面２０（上横板３７）の穴３８ａに排水ガイド３８ｂを取付け、その排水ガイド３８ｂの上側面と下面に連続した排水孔３８ｃから結露水が上凹部３０に流れる形態で、室内側から排水ガイド３８ｂが見えるだけで見栄え良い。これに限ることはなく排水穴を形成しただけでも良い。前記仕切り板３２に中間排水部３９、例えば排水穴を形成し、上凹部３０の結露水が下中空部３１に流れるようにする。
前記下枠２の室外側面２ｂ（室外側縦板３４）下部に下部排水部４０を形成し、下中空部３１の結露水が室外側に流れるようにする。
この下部排水部４０は室外側縦板３４に形成した孔４０ａに排水弁４０ｂを設けたもので、室外からの吹き込みを防止する。
前記中間排水部３９と下部排水部４０は下枠２の長手方向両端寄りにそれぞれ設けてある。例えば、下枠２の長手方向端面から１００ｍｍ程度の位置にそれぞれ設けてある。
【００２２】
前記上排水部３８と中間排水部３９と下排水部４０で前述の第１排水経路を形成している。
【００２３】
前記結露水受け凹部２１に排水部４１を形成し、その結露水受け凹部２１に溜まった結露水が下中空部３１に流れるようにする。
前記排水部４１は、例えば室内側縦板３３の結露水受け凹部２１を形成する部分に形成した排水穴である。
この実施の形態では、室内側縦板３３の結露水受け凹部２１を形成する部分における長手方向両端部を切欠きし、その切欠きと縦枠３の内面３ａで排水穴をそれぞれ形成している。
前記排水部４１と前記下排水部４０で前述の第２排水経路を形成している。
【００２４】
次に、本発明の第２の実施の形態を図３と図４に基づいて説明する。
この実施の形態は、ガラス５が複層ガラスでガラス取付用の上凹部３０の見込み寸法が第１の実施の形態における上凹部３０の見込み寸法よりも大きいこと、上枠１、下枠２、縦枠３が断熱形材であることが相違し、他の構成は第１の実施の形態と同様である。
【００２５】
下枠２の立上り部１３を、上方垂直部１３ａと中間傾斜部１３ｂと下方垂直部１３ｃでほぼクランク形状で、その下方垂直部１３ｃを上方垂直部１３ａよりも室外寄りとする。
前記、上凹部３０の見込み寸法（つまり、下枠２のガラス取付部の見込み寸法）が大きく上方垂直部１３ａが取付横片１１の室外側部の近くに位置しているので、立上り部１３が上下方向に連続した垂直であると、その立上り部１３と取付横片１１との間に結露水受け凹部２１を形成できないことがあるから、前述のように下方垂直部１３ｃを上方垂直部１３ａよりも室外寄りとし、その下方垂直部１３ｃと取付横片１１との間に結露水受け凹部２１を形成してある。
この実施の形態では、前述の上方垂直部１３ａ（つまり、室内側上面２０の室内側端部２０ａ）は結露水受け凹部２１の室内側端部２１ａよりも室外側に位置している。
よって、室内側上面２０からオーバーフローした結露水が中間傾斜部１３ｂに沿って流れずに上方垂直部１３ａから滴下した場合に、その結露水が結露水受け凹部２１に落下し、その結露水が室内に流れない。
なお、上方垂直部１３ａから結露水が滴下することがなく、結露水が上方垂直部１３ａ、中間傾斜部１３ｂに沿って流れる場合には上方垂直部１３ａが結露水受け凹部２１の室内側端部２１ａよりも室内側に位置しても良い。
【００２６】
前記上枠１、下枠２、左右の縦枠３は室内側金属部材５０と室外側金属部材５１を断熱材５２で連結した断熱形材で、下枠２の室内側金属部材５０の室内側面が前述の下枠２の室内側面２ａである。
下枠２は室内側金属部材５０の上部と室外側金属部材５１の上部で前述の上凹部３０を形成し、室外側金属部材５１は中空部５１ａを有している。
前記室内側金属部材５０と室外側金属部材５１の間に中空部５３を有し、この中空部５３と中空部５１ａで前述の下中空部３１を形成しているので、室外側金属部材５１の室内側縦板５１ｂの下部に補助排水部５４、例えば排水穴を形成し、前記中空部５３に流れた結露水が中空部５１ａに流れるようにしてある。
【００２７】
前述の各実施の形態は、ガラス付き建具を嵌め殺し窓としたが、障子としても良い。
例えば、框組体にガラスを装着した障子における下框を前述の下枠と同様にする。障子の場合には下框の室内側面の下部が床面よりも上方に位置するので、下框の室内側面の下部、好ましくは最下部に結露水受け凹部を形成する。
また、窓枠は底辺が下で頂部が上である三角形状、底辺が直線状の半円形状などであっても良い。
【００２８】
すなわち、本発明は、少なくとも下横材（下枠２、下框）を備えた枠体（窓枠１、框組体）にガラス５を装着したガラス付き建具（嵌め殺し窓、障子）において、その下横材を前述したものとすれば良い。
【００２９】
【発明の効果】
請求項１に係る発明によれば、ガラスの室内側面に発生した結露水は下横材の室内側上面に流れ込み、この結露水及び室内側上面に発生した結露水は下横材の第１排水経路で室外側に排水される。
よって、ガラスの室内側面に発生した結露水、下横材の室内側上面に発生した結露水が室内に流れることがない。
【００３０】
また、下横材の室内側面に発生した結露水、下横材の室内側上面からオーバーフローした結露水は結露水受け凹部に溜まる。この結露水受け凹部に溜まった結露水は下横材の第２排水経路で室外側に排水される。
よって、下横材の室内側面に発生した結露水、下横材の室内側上面からオーバーフローした結露水が室内に流れることがない。
【００３１】
請求項２に係る発明によれば、下横材の室内側上面からオーバーフローした結露水が室内側面に沿って流れずに、その結露水が室内側上面における室内側端部から滴下した場合に、その滴下した結露水が結露水受け凹部に落下して溜まるので、その滴下した結露水が室内に流れることがない。
【図面の簡単な説明】
【図１】本発明の第１の実施の形態を示す嵌め殺し窓の縦断面図である。
【図２】本発明の第１の実施の形態を示す嵌め殺し窓の横断面図である。
【図３】本発明の第２の実施の形態を示す嵌め殺し窓の縦断面図である。
【図４】本発明の第２の実施の形態を示す嵌め殺し窓の横断面図である。
【符号の説明】
１…上枠（上横材）、２…下枠（下横材）、２ａ…室内側面、３…縦枠（縦材）、４…窓枠（枠体）、５…ガラス、６…建物躯体、７…開口部、８…床、８ａ…床面、１１…取付横片、１２…最上部、１３…立上り部、２０…室内側上面、２０ａ…室内側端部、２１…結露水受け凹部、２１ａ…室内側端部。
【図１】
2004211308.tif 000003
【図２】
2004211308.tif 000004
【図３】
2004211308.tif 000005
【図４】
2004211308.tif 000006